(57)【要約】  切断デバイスが媒体平面の上側および下側に配置された上部支持体および下部支持体、および上部支持体および下部支持体を係合および離脱させる非接触式結合デバイスを含み、上部支持体および下部支持体の一方が主支持体であり、上部支持体および下部支持体の他方が従支持体であり、そして主支持体に配置された主切断ブレードをさらに含み、上部および下部支持体が係合した場合に、従支持体は主支持体の移動に追従する。【選択図】図１
2021509362.tif 000002
【特許請求の範囲】
【請求項１】
媒体平面に位置決めされた媒体を切断するための切断デバイスであって、媒体平面の上側および下側に配置された上部支持体および下部支持体、および上部支持体および下部支持体を係合および離脱させる非接触式結合デバイスを含み、上部支持体および下部支持体の一方が主支持体であり、上部支持体および下部支持体の他方が従支持体であり、主支持体に配置された主切断ブレードをさらに含み、上部および下部支持体が係合した場合に従支持体は主支持体の移動に追従する、切断デバイス。
【請求項２】
結合デバイスは磁石を含む、請求項１の切断デバイス。
【請求項３】
従支持体に配置された従切断ブレードをさらに含む、請求項１の切断デバイス。
【請求項４】
結合デバイスは、主支持体上に配置された第１の制御可能な磁石および従支持体上に配置された第１の強磁性対向部分を含む、請求項３の切断デバイス。
【請求項５】
主支持体を媒体平面を横断して移動させる切断デバイス駆動システムをさらに含む、請求項４の切断デバイス。
【請求項６】
結合デバイスは、主切断ブレードに関連する第２の制御可能な磁石および従切断ブレードに関連する第２の強磁性対向部分を含む、請求項５の切断デバイス。
【請求項７】
第１の制御可能な磁石、第２の制御可能な磁石、および駆動システムを制御し、第１の制御可能な磁石および強磁性対向部分を介して第１の制御可能な磁石を付勢および消勢して主支持体および従支持体を係合および離脱させ、そして第２の制御可能な磁石および第２の強磁性対向部分を介して第２の制御可能な磁石を付勢および消勢して主切断ブレードおよび従切断ブレードを係合および離脱させるコントローラをさらに含む、請求項６の切断デバイス。
【請求項８】
主支持体上に配置されて主切断ブレードおよび連結部分を媒体平面に垂直な方向に枢動させ、第２の制御可能な磁石および第２の強磁性対向部分を介して主切断ブレードの枢動運動を従切断ブレードに伝達する回転アクチュエータをさらに含む、請求項７の切断デバイス。
【請求項９】
従支持体は媒体平面に位置決めされた媒体の表面に対して保持され、主支持体によって媒体平面を横断して移動される、請求項１の切断デバイス。
【請求項１０】
主支持体は上部支持体であって、媒体平面に位置決めされた媒体の上側表面を横断して上部支持体を移動するよう駆動システムと関連されており、そして従支持体は下部支持体であって、上部支持体と係合した場合に媒体平面に位置決めされた媒体の下側表面を横断して移動される、請求項９の切断デバイス。
【請求項１１】
主切断ブレードは回転ブレードを含む、請求項１の切断デバイス。
【請求項１２】
プリンターであって：
プリントヘッドキャリッジ；
印刷ゾーンを横断してプリントヘッドキャリッジを移動させる駆動システム；
印刷ゾーンの上方でプリントヘッドキャリッジに取り付けられた上部切断ブレード支持体；
印刷ゾーンの上方で上部切断ブレード支持体に配置された上部切断ブレード；
印刷ゾーンの下側に配置された下部切断ブレード支持体；
印刷ゾーンの下側で下部切断ブレード支持体に配置された下部切断ブレード；および
上部切断ブレード支持体に配置された第１の電磁石および下部切断ブレード支持体に配置された第１の強磁性対向部分を含む、第１の非接触式結合デバイスを含み、
第１の非接触式結合デバイスは第１の電磁石を付勢することによって上部および下部切断ブレード支持体を係合させ、係合した場合に下部切断ブレード支持体は上部切断ブレード支持体の移動に追従し、そして離脱した場合に、上部切断ブレード支持体の移動に関わらず下部切断ブレード支持体は所与の位置にとどまる、プリンター。
【請求項１３】
印刷ゾーンの側方に配置された下部切断ブレード支持体のベースステーションをさらに含み、駆動システムはプリントヘッドキャリッジをベースステーションに移動して上部切断ブレード支持体をベースステーションの上方に位置させ、かくして上部切断ブレード支持体がベースステーションの上方にある場合に、下部切断ブレード支持体はベースステーション内にあり、第１の電磁石が付勢されて、上部切断ブレード支持体は下部切断ブレード支持体と係合する、請求項１２のプリンター。
【請求項１４】
上部切断ブレードと関連する第２の電磁石および下部切断ブレードと関連する第２の強磁性対向部分を含む第２の非接触式結合デバイスをさらに含み、
第２の非接触式結合デバイスは第２の電磁石を付勢することによって上部および下部切断ブレードを係合させ、さらに
印刷ゾーンに垂直な軸の周囲で上部切断ブレードを枢動させるよう上部切断ブレードと関連する回転アクチュエータ、および
第２の非接触式結合デバイスを介して上部切断ブレードの枢動運動を下部切断ブレードに伝達する連結部分を含む、請求項１２のプリンター。
【請求項１５】
媒体切断平面の上側および下側の、上部支持体に配置された上部切断ブレードおよび下部支持体に配置された下部切断ブレードまたは下部支持体表面を使用して、媒体を切断するための方法であって：
下部支持体が格納されたピックアップ位置へと上部支持体を移動させ；
上部および下部支持体を係合し；
下部支持体を上部支持体の移動に追従させながら、上部支持体を切断位置へと移動させ；
上部切断ブレードおよび下部切断ブレードまたは下部支持体表面を係合し；
下部支持体を上部支持体および上部切断ブレードの移動に追従させながら、媒体切断平面を横断して上部支持体を移動させ、かくして上部切断ブレードおよび下部切断ブレードまたは下部支持体表面の間で媒体を切断する、方法。
【発明の詳細な説明】
【背景技術】
【０００１】
幾つかのプリンターは切断デバイスを含んでおり、それは印刷媒体を印刷動作の前、間、または後で切断することができる。切断デバイスは、印刷ゾーンを横断して移動するキャリッジ上に支持された、切断ブレードを含むことができる。印刷ゾーンを横断するキャリッジの移動により、および／または印刷ゾーンを通過する媒体進行経路に沿った印刷媒体の移動により、切断ブレードはＸ方向およびＹ方向といった１つまたは２つの線形方向において、切断を行ってよい。
【図面の簡単な説明】
【０００２】
以下の説明は図面を参照しており、そこにおいて：
図１は例示による切断デバイスを、その側面図でもって概略的に示すブロック図であり；
図２は例示による切断デバイスを、その上面図でもって概略的に示すブロック図であり；
図３は例示による切断デバイスの上部を、その側面図でもって概略的に示すブロック図であり；
図３Ａは図３による切断デバイスの上部を、その上面図でもって概略的に示すブロック図であり；
図４は例示による切断デバイスの下部を、その側面図でもって概略的に示すブロック図であり；
図４Ａは図４による切断デバイスの下部を、その上面図でもって概略的に示すブロック図であり；
図５は別の例による切断デバイスの下部を、その側面図でもって概略的に示すブロック図であり；
図６は例示による切断デバイスの斜視図を、上側から見て概略的に示しており；
図７は例示による切断デバイスの斜視図を、下側から見て概略的に示しており；
図８は例示による切断デバイスの別の斜視図を、上側から見て概略的に示しており；
図９は例示による切断デバイスのさらに別の斜視図を、上側から見て概略的に示しており；
図１０は例示による切断デバイスの別の斜視図を、下側から見て概略的に示しており；
図１１は例示による切断デバイスの側面図を概略的に示しており；
図１２は例示による媒体切断方法の流れ図である。
【発明を実施するための形態】
【０００３】
図１および図２は、例示による切断デバイスを、その側面図および上面図でもって概略的に示すブロック図である。
【０００４】
図１および図２の例では、切断デバイスは上部支持体１０および下部支持体２０を含み、これらはそれぞれ媒体平面３０の上側および下側に配置されている。上部支持体１０はキャリッジ４０に配置することができ、これはＸ方向としても示される走査方向において、スライドバー４２に沿って移動可能である。下部支持体２０は以下で説明するように、切断ゾーンの側部且つ下側において、ベースステーション（図１および図２には示されていない）に配置することができる。上部および下部支持体１０、２０は、切断デバイスの上部および下部半体の個別の部品である。
【０００５】
媒体５０は媒体平面３０に位置決め可能であり、そしてＹ方向としても示される媒体進行方向において、上部支持体１０およびキャリッジ４０の下側を前進することができる。
【０００６】
上部および下部支持体１０、２０には非接触式の結合デバイスを設けて、上部支持体および下部支持体を係合および離脱させることができる。以下でさらに詳細に説明するように、上部支持体１０は主支持体と見なすことができ、そして下部支持体２０は従支持体と見なすことができ、ここで上部および下部支持体が係合した場合に、下部／従支持体２０は上部／主支持体１０の移動に追従する。変形例では、上部支持体は従支持体であることができ、そして下部支持体は主支持体であることができ、かくして、上部および下部支持体が係合した場合に、上部／従支持体は下部／主支持体に追従する。後続の図面を参照して説明するように、切断デバイスはさらに、主支持体に配置された主切断ブレードを含んでいる。この例では、主切断ブレードは上部支持体１０に配置された上部切断ブレードである。変形例では、主切断ブレードは下部支持体に配置された下部切断ブレードであることができる。
【０００７】
例示においては、切断デバイスはプリンターに備えることが可能であり、そしてキャリッジ４０は、プリントヘッド（図示せず）および上部支持体２０を担持するプリンターキャリッジであることができる。このプリンターは例えば、大判インクジェットプリンターであってよい。この例では、切断ゾーンは印刷ゾーンに対応し、または重複し、または隣接していることができ、そして走査方向Ｘは、キャリッジ４０に位置するプリントヘッドの印刷方向Ｘに対応していることができる。媒体平面３０に配置された媒体５０は、例えば、供給トレイ、ドロワー、またはロール紙から印刷ゾーンに送り込まれる、印刷媒体の枚葉紙または連続紙のような印刷媒体であることができる。この媒体は例えば、紙または箔であってよい。
【０００８】
この例では、上部切断ブレードおよび上部支持体はプリンターキャリッジ４０に取り付けられて一緒に移動し、それによって切断ブレードはＸ方向に移動することができる。加えて、以下で説明するように、切断ブレードは枢動させて、媒体に対する相対的な切断方向を調節することができる。
【０００９】
上部支持体１０は下部支持体２０に対して、非接触式の結合デバイスを介して結合可能であり、媒体はそれらの間に挟み込まれる。非接触式の結合デバイスが作動された場合、上部支持体１０は下部支持体２０と係合することが可能であり、または下部支持体２０を「ピックアップ（持ち上げ）」して、間に媒体を挟み込んだまま下部支持体２０を切断位置まで切断ラインに沿って「ドラッグする（引きずる）」ことができる。
【００１０】
図１２に示された切断シーケンスの１つの例においては、１００において、上部支持体１０は下部支持体２０が格納されているピックアップ位置へと移動される。このピックアップ位置は、図１に概略的に示されているように、印刷ゾーンの側方で、媒体が上側を通過する位置の下側にあることができる。１１０において、上部および下部支持体１０、２０は非接触式の結合デバイスを介して係合することができ、そして１２０において、上部支持体１０は切断位置へと移動することができる。上部支持体１０は例えば、キャリッジ４０を移動させることによって移動可能である。加えて、媒体５０はキャリッジ４０の下側を移動させることができ、最終的に上部支持体１０は、Ｘ方向およびＹ方向において媒体５０に対して位置決めされる。下部および上部支持体が係合することから、下部支持体２０は上部支持体１０の移動に追従する。切断位置にある場合に、１３０において、上部支持体１０に配置された上部切断ブレードは下部切断ブレードと係合することができ、または下部支持体２０に設けられた下部支持体表面と係合することができる。上部支持体１０は次いで１４０において、例えばキャリッジおよび／または媒体を移動させることにより、下部支持体２０が上部支持体１０の移動に追従するようにして、媒体５０に対して相対的に移動される。かくして、媒体は上部切断ブレードと下部切断ブレードまたは下部支持体表面との間で切断される。
【００１１】
例示において、非接触式の結合デバイスは、少なくとも１つの磁石を含んでいる。例えば、電磁石を上部支持体上に設け、対応する磁石または強磁性要素を下部支持体に備えて、磁石の対を形成することが可能であり、媒体は磁石の対の間に挟み込まれて切断される。磁石の対が作動されると、上部支持体は下部支持体をピックアップすることができ、そして下部支持体を切断位置まで案内することができる。さらなる磁石の対を上部切断ブレードと下部切断ブレードまたは上部切断ブレードと下部支持体表面に設け、磁力を通じて互いに向かって移動させることによって係合するようにしてよい。このさらなる磁石はまた、下部切断ブレードが上部切断ブレードの任意の回転運動に追従するようにすることができる。かくして、磁石の対は下部支持体が上部支持体の任意の移動に追従し、上部切断ブレードが媒体を切断するようにすることができる。                                              下部支持体を解放するためには、磁石は不作動とされる。
【００１２】
図３および図３Ａは例示により、上部支持体１０を含む切断デバイスの上部半体のさらなる詳細を示している。上部支持体１０は、概略的に箱体として示されている上部フレーム１１を含んでいてよく、これはキャリッジ４０に取り付けることができる。上部フレーム１１は上部切断ブレード１２を支持しており、これは媒体平面３０と平行な第１の軸Ｒの周囲で回転可能であり、また媒体平面３０に垂直な第２の軸Ｐの周囲で枢動可能である。この例においては、上部切断ブレード１２は円形の回転ブレードである。上部切断ブレード１２の第１の軸Ｒの周囲での回転運動は、上部支持体１０が媒体平面において媒体に対して相対的に移動されることによって生じ、このとき切断ブレード１２は媒体に接触して媒体の表面上を転動する。上部切断ブレード１２の第２の軸Ｐの周囲での枢動運動は、上部切断ブレード１２を回転アクチュエータ１６に結合する枢動ブラケット１４によって生じ、回転アクチュエータ１６と枢動ブラケットの間にはカム装置１８が備えられる。上部切断ブレードは枢動されると、上部切断ブレードを媒体平面３０にある媒体に対して、切断方向に整列させる。
【００１３】
回転アクチュエータ１６は、ＢＬＤＣ（ブラシレス直流）モーターまたはサーボモーターのような電気モーターを含んでいてよく、これは上部フレーム１１に接続されていてよい。回転アクチュエータの出力シャフト１６ａはカム装置１８に結合されていてよく、このカム装置１８はカムローブを含んでいて、これが枢動ブラケット１４のアーム１４ａと接触してよい。出力シャフト１６ａの回転はカムローブに伝達され、それが枢動ブラケット１４を枢動させ、かくして上部切断ブレード１２を第２の軸Ｐの周囲で枢動させる。枢動ブラケット１４はこの例ではＵ字形状であり、上部および下部の水平アーム１４ａ、１４ｂが垂直なブリッジ部１４ｃによって接続されている。ブリッジ部１４ｃは第２の軸Ｐと同一線上の軸受けシャフト１４ｄによって、上部フレーム１１に連結されている。カムローブの回転運動は上部の水平アーム１４ａの偏向を生じさせて枢動させ、そこではこの枢動運動はブリッジ部１４ｃおよび下部の水平アーム１４ｂを介して伝達されて、上部切断ブレード１２の対応する枢動運動となる。
【００１４】
軸受けシャフト１４ｄは上部フレーム１１に接続されていてよく、そして内部バネまたは外部バネのようなバネ装置を含んでいて、枢動ブラケット１４、従って上部切断ブレード１２を上方に、媒体平面３０から離れるように引っ張る。このバネ装置の弾性力は、枢動ブラケット１４、従って上部切断ブレード１２を媒体平面３０に位置する切断すべき媒体に向けて接触するように押す、枢動ブラケット１４に加えられる下向きの力によって克服することができる。
【００１５】
この例では、２つの磁石３２、３４が上部フレーム１１の底側に配置されており、媒体平面３０に対面している。磁石３２、３４は上部フレーム１１の底側において、２つの隣り合った角、または２つの対角方向に向かい合った角、または任意の他の適度に間隔を置いた位置に配置されてよい。２つの磁石３２、３４に代えて、１つの磁石または２つより多い磁石を上部支持体１０に備えてよい。磁石３２、３４は、制御装置によって付勢される電磁石であってよい。変形例では、磁石は永久磁石であってよく、磁石が媒体平面３０に向かって、また媒体平面３０から離れて動かされるように、垂直方向に移動可能とすることができる。
【００１６】
さらにこの例においては、第２の軸Ｐと同一線上の位置において、追加の磁石３６が枢動ブラケット１４の底側に配置されている。この追加の磁石３６は、制御装置によって付勢される電磁石であってよい。変形例では、磁石は永久磁石であってよく、磁石が媒体平面３０に向かって、また媒体平面３０から離れて動かされるように、垂直方向に移動可能とすることができる。  
【００１７】
図４および図４Ａは、下部支持体２０を含む例示による切断デバイスの下部半体のさらなる詳細を示している。下部支持体２０は下部フレーム２４を含み、これは切断デバイスまたは関連するプリンターキャリッジその他には固定的に取り付けられておらず、そして使用されていない場合には、ベースステーションに格納することができる。この例の下部フレーム２４は、媒体平面３０と平行な第２の回転軸Ｒ−ｌの周囲で回転可能な、そして媒体平面３０と垂直な枢動軸Ｐの周囲で枢動可能な下部切断ブレード２２を支持している。この例においては、下部切断ブレード２２もまた円形の回転ブレードである。
【００１８】
２つの強磁性体３２ｌ、３４ｌが、下部支持体２０の上側に、より具体的にはその下部フレーム２４に、媒体平面３０に向かって配置されている。強磁性体３２ｌ、３４ｌは下部フレーム２４の２つの隣り合った角、または２つの対角方向に向かい合った角、または上部フレーム１１に備えられた磁石３２ｕおよび３４ｕの位置に対応する任意の他の位置に配置されてよい。２つの強磁性体３２ｌ、３４ｌに代えて、１つの強磁性体または２つより多い強磁性体を下部支持体２４に備えてよい。強磁性体３２ｌ、３４ｌは永久磁石であってよく、または上部支持体１０に備えられた磁石３２ｕ、３４ｕと相互作用する磁化されていない強磁性材料を含んでいてよい。上部支持体１０にある磁石３２ｕ、３４ｕが付勢され、または媒体平面３０に向けて動くよう垂直方向に移動されると、それらは下部支持体２０の強磁性体３２ｌ、３４ｌと係合し、媒体５０を間に置いて、下部支持体２０を上部支持体１０に向けて引き寄せる。
【００１９】
切断ブレード２２はシャフト２５を設けることによって下部フレーム２４に結合されており、またシャフトは次いで枢動アーム２６と結合されている。シャフト２５を設けることにより、下部切断ブレード２２を媒体平面３０にある媒体に対して切断方向に整列させることが可能になる。枢動アームは、上部切断ブレード１２の枢動運動を下部切断ブレード２２に対して伝達させるのを助ける。
【００２０】
この目的のために、この例においては、追加の強磁性体３６ｌが枢動アーム２６の上側において、上部および下部支持体１０、２０が係合した場合に第２の軸Ｐと同一線上となる位置に配置されている。この強磁性体３６ｌは永久磁石であってよく、または上部支持体１０に設けられた磁石３６ｕと相互作用する、磁化されていない強磁性材料を含んでいてよい。上部支持体１０に設けられた磁石３６ｕが付勢され、または媒体平面３０に向けて動くよう垂直方向に移動されると、それは下部支持体２０の磁石３６ｌと係合し、媒体５０を間に置いて、上部切断ブレード１２および下部切断ブレード２２を互いに向けて引き寄せる。
【００２１】
磁石の対は、上部支持体１０の平行移動運動を下部支持体２０に伝達し、そして上部切断ブレード１２の枢動運動を下部切断ブレード２０に伝達する。上部および下部フレーム１１、２４並びに関連する機構の詳細について、以下に説明する。
【００２２】
磁石の対３２ｕ、３２ｌ、３４ｕ、３４ｌ、および３６ｕ、３６ｌは、非接触式結合デバイスの一部であることができ、そして相互作用して上部フレーム１１および下部フレーム２４をお互いに向けて引き寄せ、また上部切断ブレード１２および下部切断ブレード２２をお互いに向けて引き寄せることができる。切断ブレード１２、２２が係合すると、これらの磁石の対は、下部フレーム２４が上部フレーム１１の移動に追従するようにすることができ、そして下部切断ブレード２０が上部切断ブレード１２の移動に追従するようにすることができる。
【００２３】
磁石の対のそれぞれの向かい合った表面が、最小限の抵抗でもって媒体５０の表面上に円滑に摺動することができるように、磁石の対の向かい合った表面は、ポリテトラフルオロエチレン（ＰＴＦＥ、テフロンとしても知られている）のような、低抵抗材料でコーティングされていてよい。
【００２４】
図５は、切断ブレードは含んでいないが、上部切断ブレード１２と係合可能な支持表面または対向表面２８ａを有する下部支持体フレーム２８を提供する、別の例による下部支持体２０の代替品を示している。下側磁石または強磁性体３２ｌ’、３４ｌ’が、下部支持体フレーム２８に取り付けられ、または一体化されることができる。これらの下側磁石または強磁性体３２ｌ’、３４ｌ’は、上部支持体１０にある上側磁石３２ｕ、３４ｕと対になることができ、下部支持体フレーム２８をその支持表面２８ａが上部フレーム１１に対向するようにして引き寄せて保持し、支持表面２８ａと上部切断ブレード１２の間で媒体を切断する。上部切断ブレードは、図３、図３Ａに関して説明したように設計し、制御することができる。
【００２５】
変形例においては、回転アクチュエータを省略することができ、そして上部切断ブレード、および存在するならば下部切断ブレードは、媒体平面３０に位置する媒体に対して切断方向に追従するように切断ブレードの枢動運動を自己調節することを可能にする、枢動シャフト２５に類似した枢動シャフトを介して、それぞれ上部および下部フレーム１１、２４に接続することができる。
【００２６】
図６および図７は、例示による切断デバイスの斜視図を、上側および下側から見て概略的に示している。
【００２７】
図６は、スライドバー４２に沿って走査方向Ｘに移動可能なキャリッジ４０に取り付けられた上部支持体１０を含む、切断デバイスの上部半体を概略的に示している。図７は、下部支持体２０および切断ゾーンの側方且つ下側にあるベースステーション４４を含む、切断デバイスの下部半体を概略的に示している。図６および図７はさらに、切断デバイスの上部半体および下部半体の間に延在し、そして図示の例においては、キャリッジ４０の下側で、入口ローラー５２から出口ローラー５４へと媒体進行方向Ｙにおいて供給される印刷媒体の連続紙である、媒体５０を示している。この媒体５０は、入口ローラー５２および出口ローラー５４の間で、例えば出口ローラーを入口ローラーの速度よりも僅かに速い速度で回転させることにより、緊張または付勢されていてよく、かくしてキャリッジ４０の下側に、平滑な切断表面がもたらされる。連続紙の代わりに、媒体はまた、例えば供給トレイまたはドロワーから給送される媒体の枚葉紙、またはロール紙であってよい。媒体は例えば、紙、ボール紙、テキスタイル、または箔であってよい。
【００２８】
図面には示されていないが、キャリッジ４０はプリンターキャリッジであってよく、追加的に少なくとも１つのプリントヘッド、例えば４色のＭＣＹＫインクのインクジェットプリントヘッドを担持していてよい。印刷流体はプリントヘッドから分配されてよく、それはインクジェット式のプリンターまたは他のインクジェット式の分配器によって分配可能な任意の流体であってよく、例えばインク、ワニス、および／または前処理剤または後処理剤を含んでいてよい。
【００２９】
印刷ゾーンおよび／または切断ゾーンは、キャリッジ４０が横断することのできる全部の領域または一部の領域に規定されてよい。図６および図７の図面においては、印刷ゾーンおよび／または切断ゾーンの幅は、Ｘ方向における媒体５０の幅に対応していてよい。ベースステーション４４は切断ゾーンの側方において、媒体５０とオーバーラップする位置に位置決めされることができる。下部支持体２０を含む切断デバイスの下部半体は、ベースステーション４４に、またはその中に、または上述したように、上部支持体１０を含む切断デバイスの上部半体と整列する位置に、位置決めすることができる。
【００３０】
図８および図９は、例示による切断デバイスの上部半体のさらなる詳細を概略的に示している。図３および図３Ａに関して上記で参照したのと同じまたは対応する特徴を示すために、同じ参照番号が使用されている。これらの図面は、キャリッジ４０に取り付けられ、そして回転アクチュエータ１６および枢動ブラケット１４を支持する上部フレーム１１を示している。図８および図９の例においては、枢動ブラケット１４は軸受シャフト１４ｄを介してキャリッジ４０の側部に取り付けられて示されているが、上部フレーム１１に取り付けられていてもよい。これに関して、キャリッジ４０の側壁は、上部フレーム１１の一部と見なしてよい。図９は、回転アクチュエータ１６の回転運動がカムローブ１８を介してどのように枢動ブラケット１４へと伝達され、切断ブレード１２を枢動させ案内するかを図示している。従って、キャリッジ４０がスライドバー４２に沿って印刷方向Ｘに移動するとした場合、切断ブレード１２は媒体５０の表面を横断して回転し、媒体５０を切断する。追加するとすれば、媒体はキャリッジの下側を媒体進行方向Ｙにおいて移動され、切断ブレードは事実上、どのような任意の形状でも切断を行うことが可能である。滑らかな切断ラインをもたらすために、切断ブレード１２は回転アクチュエータ１６を介して枢動可能であり、枢動ブラケット１４は所望の切断方向に差し向けることができる。
【００３１】
図８はさらに、上部フレーム１１および枢動ブラケット１４の底側に取り付けられた、上側磁石３２ｕ、３４ｕ、３６ｕを図示している。
【００３２】
図１０は、切断デバイスの下部半体のさらなる詳細を概略的に示している。図４および図４Ａに関して上記で参照したのと同じまたは対応する特徴を示すために、同じ参照番号が使用されている。これらの図面は、キャリッジまたは切断デバイスおよび／またはプリンターの別の部分に固定的に取り付けられておらず、ベースステーション４４に格納されてよい下部フレーム２４を示している。下部フレーム２４は、枢動アーム２６によって回転可能なようにして、下部切断ブレード２２を支持している。図１０はさらに、下部フレーム２４および枢動アーム２６の底側に取り付けられた、下側磁石３２ｌ、３４ｌ、３６ｌを図示している。
【００３３】
図１１は、図８から図１０の切断デバイスの側面図を概略的に示している。上記で参照したのと同じまたは対応する特徴を示すために、同じ参照番号が使用されており、それらの特徴について行った説明が参照される。明瞭さを高めるために、この図では出口ローラー５４は省略されている。切断デバイスの動作は、図１１を参照して説明される。
【００３４】
切断動作が開始される場合、図８および図９に示されている切断デバイスの上部半体は、キャリッジ４０をスライドバー４２に沿って移動させることにより、切断デバイスの下部半体が格納されているベースステーション４４の上方の位置へと移動可能である。切断デバイスの上部半体は、図１０に示すように磁石の対３２ｕ、３２ｌおよび３４ｕ、３４ｌが整列するように、切断デバイスの下部半体に対して位置決めすることができる。１つの例では、磁石の対の上側部分３２ｕ、３４ｕは電磁石を含んでおり、そして下側部分３２ｌ、３４ｌは強磁性体または対向部分を含んでいる。電磁石３２ｕ、３４ｕは付勢され、電気的な対向部分３２ｌ、３４ｌを上方へと、電磁石３２ｕ、３４ｕに向けて引き寄せる。従って、上側の電磁石３２ｕ、３４ｕを付勢することにより、切断デバイスの上部フレーム１１は、切断デバイスの下部フレーム２４に係合することができる。この段階において、上部および下部切断ブレード１２、２２は係合しておらず、例えば軸受シャフト１６Ａおよび枢動アーム２６に設けられたそれぞれのバネ装置によって、媒体５０から間隔を置いている。磁石の対３６ｕ、３６ｌは付勢されていない。
【００３５】
この段階において、例えばキャリッジ４０の移動による、切断デバイスの上部半体の何らかの動きは、下側の切断デバイスの下部半体の動きに変換され、かくして下部フレーム２４は上部フレーム１１の移動に追従する。かくして、上部フレーム２４は下部フレーム２４を所望の切断位置へと引っ張って行くことができる。
【００３６】
所望とする切断位置に到達したならば、磁石の対３６ｕ、３６ｌを付勢することができる。例えば、上側部分３６ｕが電磁石を含み、下側部分３６ｌが強磁性体または対向部分を含む場合、磁石の対３６ｕ、３６ｌは、電磁石３６ｕを付勢することによって付勢することができる。従って、上部および下部切断ブレード１２、２２は互いに向かって引き寄せられ、そして媒体５０の両側の表面に係合する。このとき、上部および下部フレーム１２、２４を含む切断デバイスが、Ｘ方向およびＹ方向におけるキャリッジ４０の移動および媒体５０の移動によって媒体表面に対して移動されると、上部および下部切断ブレード１２、２２を使用して媒体を切断することができる。加えて、きれいな切断ラインをもたらすために、切断ブレード１２は回転アクチュエータ１６および枢動ブラケット１４を介して枢動させて、Ｘ方向およびＹ方向に対して任意の角度であってよい、切断方向と整列させることができる。上部切断ブレード１２の枢動運動は、磁石の対３６ｕ、３６ｌおよび枢動アーム２６を介して、下部切断ブレード２２の対応する枢動運動に変換することができる。
【００３７】
説明した切断デバイスの設計は、非常に高い切断品質を達成し、また比較的厚い媒体を含めて、全ての種類の異なる媒体および材料を切断することができる。２つの切断ブレードが相互作用することから、寿命は非常に長く、摩耗も少ない。それにも関わらず、切断デバイスの下部半体のための別個の駆動装置や固定具なしで作動することが可能であるため、製造は容易である。
【００３８】
上述したように、変形例においては、切断デバイスの下部半体は、下部切断ブレードに代えて、上部切断ブレードと係合可能な支持表面または対向表面を含んでいてもよい。下側磁石または強磁性体は、下部支持体フレームに取り付けられ、または一体化されることができる。下側磁石または強磁性体は、上部支持体１０にある上側磁石３２ｕ、３４ｕと対をなして、下部支持体フレームをその支持表面と共に上部フレーム１１に対して引き寄せて保持し、媒体を支持表面と上部切断ブレード１２の間で切断することができる。上部切断ブレード１２は、下部切断ブレードの付勢に関連して上述したのと同様にして、バネ装置または磁石の付勢によって、媒体上へと降下させることができる。
【００３９】
さらなる変形例においては、回転アクチュエータは省略することができ、そして上部切断ブレードおよび存在するならば下部切断ブレードは、上記で説明したように、媒体平面３０に位置する媒体に対して切断方向に追従するように切断ブレードの枢動運動を自己調節することを可能にする、枢動シャフト２５に類似した枢動シャフトを介して、それぞれ上部および下部フレーム１１、２４に接続することができる。
【００４０】
この変形例は、より少ない部品を使用して製造可能であり、また製造および切断動作の制御がより複雑でない。
【００４１】
キャリッジ４０、媒体５０、および回転アクチュエータ１６の駆動は、コントローラ（図示せず）によって制御されてよい。コントローラは、マイクロコントローラ、ＡＳＩＣ、またはハードウェアに基づいて、またはハードウェアとソフトウェアの組み合わせに基づいて作動する制御装置を含む、他の制御装置であることができる。それは一体化されたメモリを含むことができ、または外部メモリと通信することができ、または両者であることができる。キャリッジの動作、媒体の前進および回転するアクチュエータを制御するために、同じコントローラまたは別個のコントローラを備えていてよい。コントローラの種々の異なる部品は、集中型または分散型の環境において、プリンターまたは別個の切断デバイスの内部または外部に配置されていてよい。
【００４２】
図示の例においては、切断デバイスはプリンターの一部として説明し、また切断デバイスの上部半体は、プリンターキャリッジ４０に取り付けられるものとして説明してきた。変形例においては、切断デバイスはそれ専用のキャリッジに設けることができ、および／または独立型の装置として、または他の種類の装置と組み合わせて設けることができる。
【図１】
2021509362.tif 000003
【図２】
2021509362.tif 000004
【図３】
2021509362.tif 000005
【図３Ａ】
2021509362.tif 000006
【図４】
2021509362.tif 000007
【図４Ａ】
2021509362.tif 000008
【図５】
2021509362.tif 000009
【図６】
2021509362.tif 000010
【図７】
2021509362.tif 000011
【図８】
2021509362.tif 000012
【図９】
2021509362.tif 000013
【図１０】
2021509362.tif 000014
【図１１】
2021509362.tif 000015
【図１２】
2021509362.tif 000016
【国際調査報告】
2021509362.tif 000017